(57)【要約】  【課題】可変入賞口を開閉する可動部材を所定の位置に安定的に保持することができるパチンコ遊技機を提供する。  【解決手段】遊技球を受入れる受入開口２３を開閉部材２５の可動によって遊技球の入球を制限する第１状態と遊技球の入球を制限しない第２状態とに変動する可変入賞口１５を備えたパチンコ遊技機であって、前記可変入賞口１５は前記開閉部材２５を可動させる変動手段２８，３０を備えると共に該開閉部材２５の可動に伴い重心位置が変位する重心移動手段３３を備え、前記重心移動手段３３により前記開閉部材２５を第１状態と第２状態とに静止させるようにした。  【選択図】    図５
2008093219.tif 000002
【特許請求の範囲】
【請求項１】
遊技球を受入れる受入開口を開閉部材の可動によって遊技球の入球を制限する第１状態と遊技球の入球を制限しない第２状態とに変動する可変入賞口を備えたパチンコ遊技機であって、
前記可変入賞口は前記開閉部材を可動させる変動手段を備えると共に該開閉部材の可動に伴い重心位置が変位する重心移動手段とを備え、前記重心移動手段により前記開閉部材を第１状態と第２状態とに静止させるようにしたことを特徴とするパチンコ遊技機。
【請求項２】
前記重心移動手段は軸部を介して揺動自在に設けると共に重心移動体を移動自在に設け、前記開閉部材の可動に伴って重心移動体が移動して重心位置が変位するようにしたことを特徴とする請求項１記載のパチンコ遊技機。
【請求項３】
前記重心移動体は流体物であり、前記重心移動手段に中空部を形成すると共に該中空部に前記流体物を移動自在に封入したことを特徴とする請求項２記載のパチンコ遊技機。
【請求項４】
前記重心移動手段を前記開閉部材に設けたことを特徴とする請求項１乃至３のいずれかに記載のパチンコ遊技機。
【発明の詳細な説明】
【技術分野】
【０００１】
本発明は、パチンコ遊技機に関するものであり、特に遊技球を受入れる受入開口を遊技球の入球を制限する第１状態と遊技球の入球を制限しない第２状態とに変動する可変入賞口を備えたパチンコ遊技機に関するものである。
【背景技術】
【０００２】
従来のパチンコ遊技機に設けられる可変入賞口としては一対の翼片を回動自在に軸支して、遊技球の入球により翼片を開閉する所謂チューリップと称される可変入賞口が知られている。この可変入賞口は、横軸にシーソー動作の球導板が軸支されると共に下方に球受片が設けられ、翼片が起立しているとき、上方からその翼片の間に遊技球が入ると遊技球は球入口から球導板上に導かれて後方へ転動し、その球重量で前端をはね上げて翼片を傾動させ、この状態で次の遊技球が翼片間に入ると球受片に接触しその球重量で球導板の前端を下げて元の状態に戻すようにされている。しかし、遊技球の落下スピードが速いと該球によって一旦起立した翼片が自重で傾動する以前に鍵付可動板による球導板の掛止が外れて該球導板が先端を下げてしまうため、回転体に球接触片にそれぞれ対応する係合面を有する係合突起を形成すると共に、球導板と同軸上に前記係合突起の係合面に係合する係合部が設けられた回転規制片を揺動自在に軸支して、正しい位置に保持するようにしている（例えば、特許文献１参照。）。
【０００３】
また、他の可変入賞口として一気に多量の遊技球を入賞させる所謂アタッカーと称される大入賞口は、入賞開口に設けた開閉扉をソレノイド等により開閉するようにしており、所定の個数が入賞するまで又は所定時間経過するまでソレノイドを励磁し続けて入賞開口を開放するようにしていた。そのため、ソレノイド自体が異常に発熱して故障を起す原因となっていたが、ソレノイドの外周を放熱板で囲う放熱手段を設けて故障を起す原因を解消する提案がされている（例えば、特許文献２参照。）。
【０００４】
【特許文献１】特開平６−２４６号公報
【特許文献２】特開２００２−３３１０９９号公報
【発明の開示】
【発明が解決しようとする課題】
【０００５】
しかしながら、従来のチューリップは翼片にしても球導板にしても重心位置は一定であるため、衝撃により翼片，球導板が動き重心位置が変位の分岐点を越えると翼片を無用に可動させて遊技者又はホールに損害を与えるという問題があった。また、文献１のチューリップは部品点数が多くなり、コスト高になると共に組立てが煩雑となる問題がある。
【０００６】
また、文献２の大入賞口はソレノイドの放熱効果はあるものの、開閉扉の開状態を保持するためにソレノイドを励磁し続けなければならず、ソレノイドが発熱して能力が低下を引起している。そのため、必要以上の能力を備えたソレノイドを用いなければならず、コスト的にも高くなる原因になっている。
【０００７】
本発明は、従来の技術の有するこのような問題点に鑑みてなされたものであり、可変入賞口を開閉する可動部材を所定の位置に安定的に保持することができるパチンコ遊技機を提供することを目的とするものである。
【課題を解決するための手段】
【０００８】
上記目的を達成するために、請求項１記載の発明は、遊技球を受入れる受入開口を開閉部材の可動によって遊技球の入球を制限する第１状態と遊技球の入球を制限しない第２状態とに変動する可変入賞口を備えたパチンコ遊技機であって、前記可変入賞口は前記開閉部材を可動させる変動手段を備えると共に該開閉部材の可動に伴い重心位置が変位する重心移動手段とを備え、前記重心移動手段により前記開閉部材を第１状態と第２状態とに静止させるようにしたことを特徴とする。
【０００９】
請求項２記載の発明は、請求項１記載の発明において、前記重心移動手段は軸部を介して揺動自在に設けると共に重心移動体を移動自在に設け、前記開閉部材の可動に伴って重心移動体が移動して重心位置が変位するようにしたことを特徴とする。重心移動体は軸部の軸線方向とほぼ直交する方向に設けられる移動部に移動自在に設けられると共に、揺動により下傾した方向に移動するように設けられる。
【００１０】
請求項３記載の発明は、請求項２記載の発明において、前記重心移動体は流体物であり、前記重心移動手段に中空部を形成すると共に該中空部に前記流体物を移動自在に封入したことを特徴とする。ここでいう「流体物」とは中空部を開閉部材の揺動により下傾した方向に自由に移動し得るものであり、粒体，液体，粉体が好ましく、さらに球体・円柱等転動するものであってもよい。
【００１１】
請求項４記載の発明は、請求項１乃至３のいずれかに記載の発明において、前記重心移動手段を前記開閉部材に設けたことを特徴とする。
【００１２】
前記変動手段は、開閉部材を第１状態から第２状態に変動させる往動手段と開閉部材を第２状態から第１状態に変動させる復動手段を備えている。また、変動手段は、遊技球によって作用させるようにしてもソレノイド等の電気的駆動源によって作用させるようにしてもよい。
【００１３】
前記開閉部材の所定位置において、重心移動体は開閉部材の傾動方向側に位置するように初期位置を設定するのが好ましい。
【００１４】
また、遊技盤面に複数の可変入賞口からなる入賞群を設け、複数の可変入賞口を連動させて入賞群単位で開閉動作を行うようにしてもよい。また、遊技球の入賞によって入賞群の可変入賞口を開動作させる特別入賞口と、遊技球の入賞によって前記開動作した入賞群の可変入賞口を閉動作させるリセット口とを備えるのが好ましく、遊技球を利用した遊技機本来の楽しみを味わうことができる。さらに、前記入賞群を複数設けて入賞群領域を形成して入賞群単位で開閉動作するようにしてもよい。このとき、複数の可変入賞口又は入賞群単位の可変入賞口を相互に機械的に開動作する連動機構を備えるのが好ましい。また、複数の可変入賞口又は入賞群単位の可変入賞口を相互に機械的に閉動作する連動機構を備えるようにしてもよい。
【００１５】
また、可変入賞口の開閉を表示する表示手段を設けるのが好ましく、表示手段は例えば図柄・数字等が表示可能なマトリクス表示器，液晶表示器，ＥＬ表示器であり、色彩で開閉を表示する多色発光可能なＬＥＤである。
【発明の効果】
【００１６】
以上説明したことから明らかなように、本発明におけるパチンコ遊技機は、可変入賞口の開閉部材の可動に伴い重心移動手段の重心位置が変位するようにしたので、開閉部材の第１状態及び第２状態を安定的に保持することができる。また、開閉部材に重心移動手段を設けることで部品点数を減らし、構造を簡単にすることができるためコストの低減化を図ることができる。
【発明を実施するための最良の形態】
【００１７】
以下に本発明のパチンコ遊技機について図面を参照して説明する。パチンコ遊技機は、図１に示すように矩形状の外枠１の前面に遊技盤４を備えた中枠２がヒンジ機構３を介して水平方向へ片開き自在に蝶着され、その前面に遊技盤４が視認できる前面扉５が正面左側を枢支して開閉自在に設けられている。前面扉５の下部には遊技媒体としての遊技球が貯留される供給皿を備えた上受皿７が開閉自在に設けられ、その上受皿７の下部には上受皿７の余剰球が貯留される貯留皿と灰皿を備えた下受皿９が設けられている。また、下受皿９の右側方には遊技球の打力を調整する発射ハンドル１０が設けられている。
【００１８】
前面扉５は、全体がパチンコ遊技機の上半分程度の大きさで方形状に形成され、遊技盤４の前面に位置して遊技領域４ａが視認できる開口窓３９を有している。また、前面扉５は、図２及び図３に示すように遊技者に視認される飾り枠となる表枠体５０と、図柄意匠を描いた意匠シート５１と、第一透明板５２を備えた裏枠体５３とで大略構成されており、意匠シート５１を交換自在としてパチンコ遊技機の前面を装飾する装飾部材としての役割を成している。そして、前面扉５にはパチンコ遊技機を電気的に装飾する光源を備えた発光手段としてのＬＥＤ５４及び遊技状態に応じて効果音を出力する音出力手段としてのスピーカ５５が設けられている。
【００１９】
ここで使用されるスピーカ５５は、いわゆる圧電素子の圧電効果を利用した圧電スピーカであり、薄手の圧電素子と金属板を貼り合わせた振動部と平板状の振動板とで構成され、圧電素子に電圧を加えることにより発生する振動が振動板に伝達され、振動板が空気を振動させることで音が出力される。このように、薄型化されたスピーカ５５を使用することでスピーカ５５の設置位置も限定されず限られたスペースを有効に利用することができると共に、スピーカ５５を複数設けても重量も嵩張らず迫力ある演出ができる。また、スピーカ５５及びＬＥＤ５４は音声・ランプ制御基板によって制御され、本実施例ではスピーカ５５及びＬＥＤ５４は同期して、スピーカ５５により遊技動作に応じた効果音を発生すると共に遊技機を電気的に装飾するＬＥＤ５４が遊技状態の変化に応じて点滅し遊技機の装飾性を高めると共に、そのＬＥＤ５４の表示状態に応じて遊技者にゲームの進行状態を知らせたりするようになっている。音声ランプ制御基板は、主制御基板からの指示に従い音声やランプ表示の制御を司るＣＰＵや、その他ＲＯＭ、ＲＷＭ（ＲＡＭ）、各種ポート等を備えている。なお、実施例において音声・ランプ制御基板を１枚の基板としたが、音声及びランプの制御基板をそれぞれ別個に設けるようにしてもよい。なお、意匠シート５１に直接振動部を貼着して意匠シート５１を振動板としてもよい。さらに、表枠体５０に振動部を貼着して音響効果を高めるようにしてもよい。
【００２０】
表枠体５０は、具体的に透光性を有する合成樹脂材（ポリカーボネート，アクリル，ポリエチレン等）により方形状に形成され、図２及び図３に示すようにほぼ中央に所定の奥行きを有する短筒状の開口窓３９を形成すると共に開口窓３９の上部に膨出部５０ｃが形成されている。また、図３に示すように表枠体５０には、スピーカ５５に対応する複数箇所に透音孔５６が穿設されている。そして、透音孔５６の後面に該透音孔５６から針金等の不正具の侵入を防ぐ不正防止手段としての障害片５７が設けられている。
【００２１】
意匠シート５１は透光性を有する樹脂シートの表面に、表枠体５０を介して視認できるパチンコ遊技機の名称や遊技盤４面の図柄・模様と関連する図柄・模様が描かれており、前面扉５を含む中枠２の全体がマッチングするように描かれた図柄意匠が前面扉５の表側に表示され、図柄・模様をＬＥＤ５４により浮かび上がらせるようにしている。また、意匠シート５１にはスピーカ５５に対応位置して小孔５８が穿設されている。
【００２２】
裏枠体５３は、ポリカーボネートやアクリル，ポリエチレン等の透明な合成樹脂材で形成され、図２及び図３に示すように表枠体５０より一回り小さい方形状の板部５３ａに開口窓３９より開口が大径であり所定の奥行きを有する方形箱枠５３ｂを形成すると共に遊技盤４との間に遊技領域４ａを形成する第一透明板５２及びガイドレール６を一体に設けている。なお、第一透明板５２の遊技盤４側の側面にシリコン樹脂等のコーティングにより耐磨耗処理を施して、遊技球の接触により表面に傷が付かないようにしている。箱枠５３ｂ内には、奥部に位置する第一透明板５２から所定間隔を隔ててガラス等の透視性を有する第二透明板５９の位置決め手段となる段部６０が形成されている。
【００２３】
上記構成の前面扉５は、表枠体５０の裏面に意匠シート５１を配設すると共に裏枠体５３の位置決め段部６０に第二透明板５９を位置させ、表枠体５０と裏枠体５３とで挟持して、ビス等の取付け具又は係止爪等の係止手段を係合させることにより組立てられる。このとき、裏枠体５３の裏面に不正防止及び補強を兼ねた薄い鉄板を配設するようにしてもよい。なお、第二透明板５９の装着手段は、表枠体５０と裏枠体５３の挟着に限定されるものではなく、裏枠体５３又は表枠体５０に上又は左右方向の差込溝を形成して第二透明板５９を差込溝に装着するようにしてもよい。
【００２４】
遊技盤４は、所定の厚みを有する方形状に形成され、ガイドレール６により略円形の遊技領域４ａが形成されている。遊技領域４ａの略中央に図柄，数字を変動表示する役物として図柄表示装置１３が設けられ、その下方に図柄表示装置１３の表示図柄を変動させる始動入賞口として検知センサ１４ａ，１５ｂを備えた第１入賞口１４と第２入賞口１５が設けられている。図柄表示装置１３には検知センサ１４ａ，１５ａで検出された所定個数（図上４個）の検出結果を表示する表示部８を備えている。そして、第２入賞口１５の下方に所定の条件により開閉扉を開閉し多数の遊技球を受入れる可変大入賞口１６が設けられ、他の遊技領域４ａには一般入賞口１７及び遊技球の流下経路を変える風車１８，障碍部材１９等が設けられ、遊技領域４ａの最下方には入賞口に入賞しなかった遊技球が流入するアウト球口２０が穿設されている。また、遊技盤４の裏面には入賞球を排出樋に導く通路部２１及びカバー部材２２が設けられている。
【００２５】
第２入賞口１５は、図４及び図５に示すように遊技球の受入開口２３を開閉する開閉部材２５を可動自在に設けると共に、開閉部材２５を可動させる変動手段を設けている。変動手段は、開閉部材２５を遊技球の入球を制限する第１状態から遊技球の入球を制限しない第２状態に変動させる往動手段と開閉部材２５を第２状態から第１状態に変動させる復動手段を備えている。開閉部材２５は、枢軸２６により受入開口２３を閉鎖する第１位置と受入開口２３を開放する第２位置とに揺動自在に設けられ、枢軸部２６を介して受入開口２３を閉塞する遮蔽部２７と第１入賞口１４に入賞した遊技球により作用する往動手段としての作動部２８とを枢軸部２６を折曲部分として所定角度（実施例では約３０度）屈曲させ側面視略逆へ字状に形成している。そして、下方に誘導路２９に臨み受入開口２３から入球した遊技球が接触する復動手段としての作用片３０が設けられ、遮蔽部２７が起立時に収まる開口凹部３１を遮蔽部２７の傾倒時に閉鎖する閉鎖板３２をほぼ支軸位置に垂設している。遮蔽部２７上面は、正面視山形状に形成し受入開口２３を閉鎖する第１状態で上面に遊技球が留まらないようにしている。なお、復動手段として、直接遊技球で開閉部材２５を回動させるようにしたが、別途受入開口２３から入球した遊技球により揺動するシーソー部材等を設け、このシーソー部材により開閉部材２５を揺動させるようにしてもよい。
【００２６】
さらに、第２入賞口１５は、開閉部材２５の揺動により重心位置が変位する重心移動手段３３を備えており、この実施例では開閉部材２５に重心の移動部として中空部３４を枢軸２６の軸線方向とほぼ直交する方向に形成すると共に中空部３４に重心移動体として流体物３５を移動自在に封入している。そして、開閉部材２５が揺動すると流体物３５が中空部３４を下傾した方向に移動することにより重心位置が変位し、開閉部材２５が第１位置と第２位置とに安定した状態で静止するようにしている。ここで、中空部３４内を流動可能な流体物３５として、実施例では鉛等の金属又は樹脂製の粒体として説明するが、流体物３５としては他に液体，粉体を用いてもよく、さらに球・円柱等の塊を転動させるようにしてもよい。また、開閉部材２５は遊技球１個分の荷重で作用するように設定すると共に、中空部３４の端部が第１位置と第２位置において最下端となるように開閉部材２５を傾動位置させ、流体物３５が最下端側に流動しやすくするのが好ましい。これにより、開閉部材２５の重心移動を確実に行うことができ、開閉部材２５を第１位置及び第２位置に安定した状態に静止させることができる。
【００２７】
第２入賞口１５は、常態では開閉部材２５により遊技球の入球を制限する閉状態にあり、第１入賞口１４に入賞した遊技球により開閉部材２５を揺動させ受入開口２３を開放し、受入開口２３に入賞した遊技球により開閉部材２５を揺動させ受入開口２３を閉鎖するようにしている。なお、この実施例では開閉部材２５に直接重心移動手段３３を設けるようにしたが、重心移動手段３３としての揺動部材を別途設け、開閉部材２５と連動させるようにしてもよい。また、重心移動体としての流体物３５を移動部としての中空部３４を移動自在としたが、図６に示すように重心移動体として重錘等の塊体３６を移動部として枢軸２６の軸線方向とほぼ直交する方向に設けた移動軸３７に移動自在に設け、揺動部材２５Ａが揺動することにより塊体３６が移動軸３７に沿って傾動した下方向に移動するようにしてもよい。また、塊体３６を摺動溝等の移動部に摺動自在に設けるようにしてもよい。
【００２８】
次に上記構成のパチンコ遊技機の作用について説明する。操作ハンドル１０の操作によって遊技領域４ａに打出された遊技球が第１入賞口１４に入賞すると、検知センサ１４ａにより図柄表示装置１３の図柄を変動させると共に、入賞した遊技球は図４に示すように遊技盤４裏面の通路部２１を通って下部の第２入賞口１５に導かれ、作動部２８に落下し開閉部材２５を後回動させて閉鎖部２７を起立させ、受入開口２３を開放する。このとき図５（イ）に示すように閉鎖部２７側の中空部３４内の流動体３５が開閉部材２５の回動に伴い傾動した作動部２８側に移動して、図５（ロ）に示す開閉部材２５の第２位置を安定的に静止させ、第２入賞口１５の遊技球の入球を制限しない第２状態を保持する。そして、開放された第２入賞口１５の受入開口２３に遊技球が入賞すると、検知センサ１５ａにより図柄表示装置１３の図柄を変動させると共に、図５（ロ）鎖線に示すように誘導路２９に臨んだ作用片３０に遊技球が接触して開閉部材２５を前回動させ、閉鎖部２８が受入開口２３を閉塞する第１状態に復動する。このとき作動部２８側の中空部３４内の流動体３５が開閉部材２５の回動による傾動に伴い閉鎖部２７側に移動し、開閉部材２５を図５（イ）の第１状態に静止させ、第２入賞口１５の第１状態を安定的に維持する。
【００２９】
このように、重心移動手段を設けることにより、可動部材を遊技球の入球を制限する第１位置及び遊技球の入球を制限しない第２位置とに安定的に静止させることができるため、可変入賞口を第１状態と第２状態とに確実に変動保持することができる。また、開閉部材２５に直接重心移動手段を設けることにより、部品手数を増やすことなくコンパクトになり組み付け作業も容易となる。
【００３０】
図７乃至図１２は他の実施例を示し、前記重心移動手段を備えた第２入賞口１５とほぼ同じ構成の可変入賞口４０を複数設けている。なお、前記実施例と異なる点は複数の可変入賞口４０を１個の遊技球で一括して開放及び閉鎖する点であるため、前記実施例と同じ構成には同符号を付して説明する。可変入賞口４０は、作動部２８に開閉部材２５を一括して開放及び閉鎖する変動手段が接触連係する作動片４４を延設している。また、球受部材３８の前面に図柄，数字等が表示可能な表示手段としてマトリクス表示部４１を設けて電飾効果を高めるようにしている。この実施例では、遊技領域４ａの中央に１段３個の可変入賞口４０からなる入賞群を３段、合計９個の可変入賞口４０を設けて入賞群領域Ｚを形成している。そして、入賞群領域Ｚの上方に遊技球が入賞することにより入賞群領域Ｚの可変入賞口４０を全開させる特別入賞口４５が設けられると共に最下段の第３入賞群の可変入賞口４０間に可変入賞口４０を全閉させるリセット口４６を２個設けている。特別入賞口４５及び可変入賞口４０には、それぞれに検知スイッチ４５ａ，４６ａを設けており、入賞により遊技球が検知されると、マトリクス表示部４１の表示が変化するように制御されている。
【００３１】
可変入賞口４０を開放する往動手段として、遊技盤４裏面側に特別入賞口４５に入賞した遊技球を入賞群領域Ｚの下方に導く誘導路４７を設けると共に、１段３個の可変入賞口４０を相互に機械的に開動作させる作動杆４２を第１〜第３入賞群に対応して設けて、特別入賞口４５に入賞した遊技球によって第１〜第３入賞群の可変入賞口４０が順次開放するようにしている。この作動杆４２は、全体形状を針金等の線条により各入賞群両端の可変入賞口４０を跨ぐように略コ字状に形成し、誘導路４７に貫通して臨ませる作動弁４８を設けて、腕部の開放側を軸支して揺動自在に設けており、腕部の端部に重錘４９を設けて常態で閉塞側が上動状態となるように付勢している。そして、作動杆４２が揺動することにより開閉部材の作動片４４に接触作用して各入賞群の可変入賞口４０を開放させる。なお、重錘４９は作動弁４８に遊技球１個の荷重がかかることにより閉塞側が下動するように設定されている。
【００３２】
可変入賞口４０を閉鎖する復動手段は、個別に閉鎖する作用片３０の他に、１段３個の可変入賞口４０を相互に機械的に閉動作させるリセット作動杆４３とリセット口４６に入賞した遊技球によって作動するシーソー部材６１と、シ−ソー部材６１と連係しリセット作動杆４３を作用させる作用杆６２とで構成するリセット手段を備えており、シーソー部材６１と作用杆６２はそれぞれのリセット口４６に対応して設けている。リセット作動杆４３は、第１〜第３入賞群に対応して設けられ、各入賞群両端の可変入賞口４０に跨るように全体形状を針金等の線条により略コ字状に形成し、腕部の開放側を揺動自在に軸支している。なお、リセット作動杆４３は、常態で閉塞側が下動状態となるように閉塞側に重心を位置させると共に、誘導路４７及び通路部２１を回避するように屈曲させている。シーソー部材６１はリセット口４６の通路部２１に臨む操作部６３が常に上動位置に付勢されるように軸支され、他端に作用杆６２の下端に連係する支持片６６を設けている。作用杆６２は、棒状体に各リセット作動杆４３の腕部下方に臨む操作片６４を設けて、ガイド部６５によって上下スライド可能に設けられている。常態では自重により下動位置にあり下端はシーソー部材６１の支持片６６に支持されている。そして、リセット作動杆４３及びシ−ソー部材６１，作用杆６２はリセット口４６に入賞する遊技球１個分の荷重により作用するように設定されており、リセット口４６に遊技球が入賞すると、遊技球の荷重によりシーソー部材６１を揺動させると共に作用杆６２を上動させ、リセット作動杆４３を作用して開閉部材２５を閉動作させる。
【００３３】
なお、シーソー部材６１と作用杆６２とを接触支持して連係させるようにしたが、ガイド溝，長孔等を介して連係させるようにしてもよい。また、この実施例で、作用杆６２と作動杆４３とを離間可能な状態に設けることで、リセット口４６に入球した遊技球によりいずれかの作用杆６２を作用させるようにしたが、作用杆６２と作動杆４３とを連結して設け、リセット口４６に入球した遊技球により両作用杆６２を連動させるようにしてもよい。さらに、実施例では作動杆を略コ字状に形成し、線条部で開閉部材２５の作動片４４を作用させるようにしたが、この形状に限定されるものではなく、例えば各作動片４４に対応する部位に作用部を設けるようにしてもよい。
【００３４】
また、遊技盤４の裏面に位置する開閉部材２５の変動手段は遊技盤４の裏面を覆うカバー部材２２に設けた支持片等に組み付けてユニット化するのが好ましく、さらに誘導路４７及び通路部２１をカバー部材２２に設けてユニット化することにより、組立ての作業性が向上する。また、カバー部材２５の可変入賞口４０と対応する位置に係止部を設けた取付ボスを突設すると共に、可変入賞口４０の球受部材３８の後面に係止片を突設し、カバー部材２２を遊技盤４裏面の所定位置に取付けて、可変入賞口４０の係止片の係止爪を取付ボスの係止部に係止することで可変入賞口４０を所定位置に固着することができる。このとき、カバー部材２２に位置決め突起を設けてこの突起を遊技盤４に形成した凹部に圧入して、カバー部材２２を所定位置に取着するのが好ましい。
【００３５】
また、マトリクス表示部４１は可変入賞口４０の前面に掛け止めする枠体にマトリクス表示器を設けて構成し、マトリクス表示器の配線は可変入賞口４０の球受部材３８の前面に枠体の掛止片を可変入賞口４０に掛け止めすることにより、予め球受部材３８の側面及び係止片に施した実線又はプリント配線と接続される。さらに、予めカバー部材２２及び取付ボスに実線又はプリント配線を施こし、入賞口４０を取付ボスに係止することにより通電するようにしてもよく、可変入賞口４０の取付けと同時に配線作業を行うことができ、煩わしい配線作業を簡素化し効率のよい組立作業を行うことができる。
【００３６】
次に上記構成の遊技機の遊技内容を説明する。操作ハンドル１０の操作により遊技領域４ａに打出された遊技球が特別入賞口４５に入賞すると、遊技球は誘導路４７を流下しながら各入賞群に対応する作動弁４８に接触して順次作動杆４２を作動させ、作動杆４２が開閉部材２５を後回動することによって全ての可変入賞口４０を開状態にする。そして、特別入賞口４５に入賞すると検知スイッチ４５ａの検知信号により、可変入賞口４０前面のマトリクス表示部４１を１個又は複数個利用して、「あたり」，「おめでとう」，「開」等の文字・図柄を表示する。また、前記実施例で説明したように開閉部材２５の重心移動手段の流動体３５が作動部２８側に流動することにより、重心が作動部２８側に移動し開状態を確実に維持する。このとき、図１０に示すように作動杆４２は作動片４４を作動部２８が水平位置より下傾した状態まで押し下げると、遮蔽部２７側に位置していた中空部３４の流体物３５が作動部２８側に流動し始め、重心位置が作動部２８側に移動するため、その惰性により開閉部材２５は回動して第２位置に安定した状態で静止し開状態を維持する。このように、重心移動手段３３を設けることで、開閉部材２５を所定角度揺動させるだけで回動方向に重心が移動するため、容易に回動させることができる。
【００３７】
そして、遊技領域４ａに打ち込まれた遊技球が開放した可変入賞口４０に入賞すると、前記実施例で図５を用いて説明したように遊技球が誘導路２９を流下して作用片３０を後退させ、開閉部材２５を前回転して受入開口２３を閉塞する。このように、各可変入賞口４０に入賞することにより開閉部材２５が個々に傾動して閉鎖状態に変位する。また、遊技球がリセット口４６のいずれかに入賞すると、図１２に示すように遊技球は通路部２１を流下して通路部２１に臨むシーソー部材６１の操作部６３に接触し、荷重によりシーソー部材６１を傾動して作用杆６２を上動させ、操作片６４によりリセット作動杆４３を上動して開閉部材２５を前回転させ全可変入賞口４０を閉鎖状態とする。また、同時に検知スイッチ４６ａの検知信号により、可変入賞口４０前面のマトリクス表示部４１を１個又は複数個利用して、「閉」，「はずれ」，ドクロマーク等の文字・図柄を表示する。このとき、図１１鎖線に示すようにリセット作動杆４３は作動片４４を作動部２８が遮蔽部２７側に下傾した状態まで押し上げると、作動部２８側に位置していた中空部３４の流体物３５が遮蔽部２７側に流動し始め、重心位置が遮蔽部２７側に移動するため、その惰性により開閉部材２５は回動して第１位置に安定した状態で静止し、確実に閉状態を維持する。
【００３８】
また、マトリクス表示部４１に、例えば開閉部材２５の開状態を示す「開」と赤色表示したり、閉状態を示す「閉」と青色表示したりすることにより、遊技者は可変入賞口４０の状態を一見して把握することができる。さらに、可変入賞口４０のそれぞれに入賞球を検知するセンサを設けることにより、特別入賞口４５に入賞して全開した可変入賞口４０に入賞してセンサに検知されると、個々のマトリクス表示部４１の表示を「開」から「閉」に変化させることができ、遊技者はその文字・色によって可変入賞口４０をいちいち覗き込まなくてもどの可変入賞口４０が開放しているかを認識することができる。このため、遊技者は無駄球を打つことなく開放している可変入賞口４０を狙い打つことができる。
【００３９】
なお、本発明は前記実施例に限定されるものではなく、以下に説明する。例えば実施例において可変入賞口４０を開閉する開閉部材２５を遊技盤４面に平行な枢軸２６により前後方向に揺動するようにしたが、枢軸２６を遊技盤４に対して直交させて正面視左右方向に開閉部材２５を回動させるようにしてもよい。このとき、開閉部材２５を２部材に分割し、ギア等により噛合して一方の開閉部材２５に重心移動手段を備えて回動させることで他方の開閉部材２５が同期して回動するようにするのが好ましい。さらに、開閉部材２５を前後方向にスライドさせるようにして受入開口２３を開閉するようにしてもよく、このとき、重心移動手段にギアを設け、開閉部材２５にギアに噛合するラックを設けることにより、重心移動手段の回動にともない開閉部材２５をスライド移動させ、可変入賞口を開閉させることができる。
【００４０】
また、作動杆４２，４３を作用させる手段を遊技球の荷重を利用して行うようにしたが、入賞球を検知する検知スイッチを設けると共に作動杆４２，４３を作動させるソレノイド等の駆動源を設け、この検知スイッチの検知信号により駆動源を稼動させ作動杆４２，４３を作動させるようにしてもよい。
【００４１】
なお、実施例において特別入賞口４５を１個，リセット口４６を２個としたが、これらの個数は特に限定されるものではなく、ゲーム性にあわせてそれぞれを１個としても特別入賞口４５を２個，リセット口４６を１個としてもよい。また、リセット口４６を可変入賞口４０と同様に開閉部材２５により開閉自在に設け、特別入賞口４５に入賞することにより可変入賞口４０及びリセット口４６を開放するようにしてもよい。
【００４２】
また、実施例において可変入賞口４０を３列３段の９個として入賞群領域Ｚを方形状としたが、可変入賞口４０の個数及び入賞群領域Ｚの形状は限定されるものではなく、入賞群の可変入賞口４０の数を下段に行くに従い多くしてピラミッド型に設けるようにしてもよく、また逆三角形，円形状，放射状に設けるようにしてもよい。
【００４３】
さらに、実施例において可変入賞口を受入開口が遊技球１個分のものとして説明したが、受入開口が複数の遊技球を受け入れ得る大きさを有する可変大入賞口にも適用でき、受入開口を開閉する開閉扉と連動するように重心移動手段を設けることにより、開閉扉を第１状態と第２状態とに安定的に静止できるため、ソレノイド等の電気的駆動源への通電時間を短縮することができたり、力の弱い駆動源を使用できるためコストの低減化を図ることができる。
【図面の簡単な説明】
【００４４】
【図１】パチンコ遊技機の正面図である。
【図２】前面扉の分解斜視図である。
【図３】前面扉の要部断面図である。
【図４】入賞口の要部断面図である。
【図５】（イ），（ロ）は可変入賞口の作用を示す断面図である。
【図６】（イ）は開閉部材の他の実施例を示す斜視図，（ロ）は（イ）の開閉部材の作用を示す断面図である。
【図７】他の実施例の遊技盤の正面図である。
【図８】図７の裏面図である。
【図９】図８の要部断面図である。
【図１０】可変入賞口の開放作用を示す断面図である。
【図１１】図８の要部拡大図である。
【図１２】可変入賞口の閉鎖作用を示す断面図である。
【符号の説明】
【００４５】
１５    可変入賞口
２３    受入開口
２５    開閉部材
２６    枢軸（軸部）
２８    作動部（変動手段）
３０    作用片（変動手段）
３３    重心移動手段
３４    中空部（重心移動手段）
３５    流体物（重心移動手段，重心移動体）
３６    塊体（重心移動手段，重心移動体）
３７    移動軸（重心移動手段）
４２    作動杆（変動手段）
４３    リセット作動杆（変動手段）
６１    シーソー部材（変動手段）
６２    作用杆（変動手段）
【図１】
2008093219.tif 000003
【図２】
2008093219.tif 000004
【図３】
2008093219.tif 000005
【図４】
2008093219.tif 000006
【図５】
2008093219.tif 000007
【図６】
2008093219.tif 000008
【図７】
2008093219.tif 000009
【図８】
2008093219.tif 000010
【図９】
2008093219.tif 000011
【図１０】
2008093219.tif 000012
【図１１】
2008093219.tif 000013
【図１２】
2008093219.tif 000014